(57)【要約】【課題】最下段の熨斗瓦を下方支持している葺土の経年劣化により最下段の熨斗瓦に不具合が生じる可能性がある。【解決手段】最上段の桟瓦Ｃ、Ｃａ…上に載置される一対の台座２、2aと、大棟下地側の棟木Ｂ上に載置固定する台座２、2aの連結板３、3a…と、台座２、2aの先端に固定する弾性変形可能な面戸材５、5a…とを有す土台形成材１、1a…を大棟下地に複数個直列配置し、台座２、2a上に最下段の熨斗瓦Ｄ、Ｄａ…を載置し、該熨斗瓦Ｄ、Ｄａ…に形成された釘孔を貫通させた釘又はねじＴ、Ｔａを台座２、2aに打ち込んで、熨斗瓦Ｄ、Ｄａ…を台座２、2aに固定することにより、葺土を使用しない乾式工法で、最下段の熨斗瓦Ｄ、Ｄａ…が沈まない土台構造を構築可能にする。【選択図】図２
2017201084.tif 000002
【特許請求の範囲】
【請求項１】
大棟における最下段の熨斗瓦を載置固定する、最上段の桟瓦上に載置される一対の台座と、大棟下地側の棟木上に載置固定する、前記一対の台座の連結板と、前記台座の先端に固定する弾性変形可能な面戸材とを有していることを特徴とする大棟土台形成材。
【請求項２】
前記台座は、最上段の桟瓦上への載置板と、該載置板の上面に外端縁部に沿って固定された台座本体とを有していることを特徴とする請求項１に記載の大棟土台形成材。
【請求項３】
請求項１又は２のいずれか一方に記載の大棟土台形成材を前記大棟下地に複数個直列配置して前記棟木に前記連結板を固定し、前記大棟土台形成材における前記台座上に最下段の熨斗瓦を載置し、該熨斗瓦に形成された釘孔を貫通させた釘又はねじを前記台座に打ち込んで、前記熨斗瓦を前記台座に固定したことを特徴とする大棟土台構造。
【請求項４】
前記台座上面への固定部位及び該固定部位の先端より下方延出するカバー部材とを有する面戸カバーを、隣接する前記大棟土台形成材を跨ぐ様に且つ前記台座の前方に前記カバー部材が位置する様に固定したことを特徴とする請求項３に記載の大棟土台構造。
【発明の詳細な説明】
【技術分野】
【０００１】
本発明は、瓦屋根の頂部の大棟下地に設置して、その上部に熨斗積み形態の大棟を構築可能にした大棟土台形成材及び該大棟土台形成材を使用する大棟土台構造に関する。
【背景技術】
【０００２】
従来、瓦屋根における大棟の構築工法にあっては、葺土を使用して熨斗瓦を積み上げ、最上段に冠瓦を被せる在来湿式工法や、大棟下地に固定した固定材の両側面に熨斗風瓦を釘、ねじ等により固定して、最上段に冠瓦を被せてボックスの上面に釘、ねじ等により固定する、葺土を使用しない乾式工法がある。
【０００３】
前者の場合、下方より順に台熨斗瓦、肌熨斗瓦、糸熨斗瓦、割り熨斗瓦、天熨斗瓦などの熨斗瓦と、伏間瓦、冠瓦などの棟瓦を積み上げた台熨斗積み構造や、糸熨斗瓦、割り熨斗瓦、天熨斗瓦などの熨斗瓦と、伏間瓦、冠瓦などの棟瓦を積み上げた割り熨斗構造が一般的であり、而も下方の台熨斗瓦、肌熨斗瓦、割り熨斗瓦、天熨斗瓦の外側端面と、上方の肌熨斗瓦、割り熨斗瓦、天熨斗瓦及び棟瓦の外側端面間に所謂「チリ（散）」を設けて、棟部の両側部を階段形状にする様にしている。
【０００４】
後者の場合、瓦本体の内端部に設けられた立ち上がり部位に前方から後方へ水平方向に釘又はビス留めできる熨斗瓦を利用して、大棟下地の中心に固定材を棟金具であらかじめ設置しておき、かかる固定材に熨斗瓦を釘、ねじ等により固定し、最下段の熨斗瓦を葺土で下方支持することで、熨斗積み作業の容易化を図ると共に、葺設した熨斗瓦のズレを確実に防止可能にしたものが見受けられる（例えば、特許文献１参照）。
【先行技術文献】
【特許文献】
【０００５】
【特許文献１】特開２００３−３２１９０３号公報
【発明の概要】
【発明が解決しようとする課題】
【０００６】
しかし、上記従来技術にあっては、最下段の熨斗瓦を葺土で下方支持しているため、経年劣化により葺土が崩れてしまった場合に、前者にあっては最下段の熨斗瓦が沈み込んで大棟自体が崩れてしまい、後者にあっては最下段の熨斗瓦の瓦本体と立ち上がり部位の境界部に負担がかかって、この境界部で最下段の熨斗瓦が割れてしまう可能性を否定できないなど、解決せねばならない課題があった。
【課題を解決するための手段】
【０００７】
本発明は、上記従来技術に基づく、最下段の熨斗瓦を下方支持している葺土の経年劣化により最下段の熨斗瓦に不具合が生じる可能性がある課題に鑑み、大棟における最下段の熨斗瓦を載置固定する、最上段の桟瓦上に載置される一対の台座と、大棟下地側の棟木上に載置固定する、前記一対の台座の連結板と、前記台座の先端に固定する弾性変形可能な面戸材とを有している大棟土台形成材を前記大棟下地に複数個直列配置して前記棟木に前記連結板を固定し、前記大棟土台形成材における前記台座上に最下段の熨斗瓦を載置し、該熨斗瓦に形成された釘孔を貫通させた釘又はねじを前記台座に打ち込んで、前記熨斗瓦を前記台座に固定することによって、葺土を使用しない乾式工法で、最下段の熨斗瓦が沈まない大棟の土台構造を構築可能にして、上記課題を解決する。
【発明の効果】
【０００８】
要するに本発明は、大棟における最下段の熨斗瓦を載置固定する、最上段の桟瓦上に載置される一対の台座と、大棟下地側の棟木上に載置固定する、前記一対の台座の連結板と、前記台座の先端に固定する弾性変形可能な面戸材とを有しているので、かかる土台形成材を大棟下地に設置すれば、最下段の熨斗瓦は、最上段の桟瓦上に載置された台座上に載置固定されるため、経年による最下段の熨斗瓦の沈み込みの発生を完全に防止することが出来る。
又、前記台座は、最上段の桟瓦上への載置板と、該載置板の上面に外端縁部に沿って固定された台座本体とを有しているので、台座における台座本体の割合を少なくすることで軽量化を図ることが出来、載置板の幅を最上段の桟瓦の尻側部位を隠すことが出来る程度に広くすれば、この大棟土台形成材を据え付ける際の安定性を向上させることが出来る。
【０００９】
大棟土台形成材を前記大棟下地に複数個直列配置して前記棟木に前記連結板を固定し、前記大棟土台形成材における前記台座上に最下段の熨斗瓦を載置し、該熨斗瓦に形成された釘孔を貫通させた釘又はねじを前記台座に打ち込んで、前記熨斗瓦を前記台座に固定したので、葺土を使用しない乾式工法により最下段の熨斗瓦が沈み込まない土台を構築することが出来るため、この上に大棟を、在来湿式工法と乾式工法のどちらででも構築することが出来る。
更に、前記台座上面への固定部位及び該固定部位の先端より下方延出するカバー部材とを有する面戸カバーを、隣接する前記大棟土台形成材を跨ぐ様に且つ前記台座の前方に前記カバー部材が位置する様に固定したので、完成した大棟の仕上がりをより良くすることが出来る等その実用的効果甚だ大である。
【図面の簡単な説明】
【００１０】
【図１】本発明に係る大棟土台形成材の実施例１の設置状態を示す斜視図である。
【図２】実施例１の大棟土台形成材に台熨斗瓦を設置した状態を示す断面図である。
【図３】実施例１の土台形成材本体の斜視である。
【図４】面戸材の斜視図である。
【図５】面戸カバーの部分拡大斜視図である。
【図６】実施例２の大棟土台形成材に台熨斗瓦を設置した状態を示す断面図である。
【図７】実施例２の土台形成材本体の斜視である。
【発明を実施するための形態】
【００１１】
本発明に係る棟部の土台形成材１、1a…にあっては、基本的に、葺設状態における最上段の桟瓦Ｃ、Ｃａ…の尻側に載置される長尺な一対の台座２、2a及び該一対の台座２、2aを連結する複数枚の連結板３、3a…を有する形成材本体４と、各台座２、2aの先端に固定する、弾性材料で成形された複数の面戸材５、5a…とを有している。
そして、棟部の下地に所定間隔毎に固定された複数個の棟金具Ａ、Ａａ…上に載架された棟木Ｂ上に土台形成材１、1a…を隙間なく直列載置すると共に、各土台形成材１、1a…の連結板３、3a…を貫通させた釘、ねじ等の固定具６、6a…を棟木Ｂに打ち込んで、台座２、2aの下面を最上段の桟瓦Ｃ、Ｃａ…に接触させると共に、台座１、1aと桟瓦Ｃ、Ｃａ…間に面戸材５、5a…を少し圧縮変形させて、該面戸材５、5a…の下面を桟瓦Ｃ、Ｃａ…の上面に密着させ、この土台形成材１、1a…に、葺土を使用する在来の湿式工法や、葺土を使用しない乾式工法で棟部を構築可能にしている。
【実施例１】
【００１２】
図１〜５に示す様に、土台形成材１、1a…の実施例１の台座２、2aは、屋根の桁行方向に長く、上部に載置した、大棟の最下段の台熨斗瓦Ｄ、Ｄａ…をねじ、釘などの固定具Ｔ、Ｔａで固定可能にすべく、材質を、例えば木材、プラスチックの様な、固定具Ｔ、Ｔａを打込み可能なものとし、幅を台熨斗瓦Ｄ、Ｄａ…より狭くして、該台熨斗瓦Ｄ、Ｄａ…の両側端部が台座２、2aより突出した状態として、台熨斗瓦Ｄ、Ｄａ…で台座２、2aが隠れる様にしている。
台座２、2aの上面は、台熨斗瓦Ｄ、Ｄａ…を桟瓦Ｃ、Ｃａ…より緩やかに傾斜させた状態或いは水平状態で載置可能な形状とし、例えば中間部に段差部を設けて外側部位の厚さを内側部位より厚くして、台熨斗瓦Ｄ、Ｄａ…の湾曲下面が台座２、2aの内外上方角部に当たった状態で載置される様になっている。
【００１３】
連結板３、3a…は、金属製の曲げ板で、台座２、2aの間に所定間隔毎に配置されており、中央部位７の両端より外方且つ下方へ固定部位８、8aが延出され、該固定部位８、8aの傾きは葺設状態の桟瓦Ｃ、Ｃａ…と略同じで、固定部位８、8aを台座２、2aの下面にねじ、釘などにより固定して台座２、2aを連結一体化している。
各連結板３、3a…の中央部位７に固定具６、6a…の挿通孔９を形成している。
【００１４】
面戸材５、5a…は、材質を、例えば発泡ポリエチレン、発泡ウレタンの様な弾性変形可能なものとし、接着剤で台座２、2に固定されている。
各面戸材５、5a…は、面戸材本体10と、該面戸材本体10の上部に設けた固定部11とを有し、面戸材本体10と固定部11の前面を面一にすると共に、面戸材本体10を固定部11より厚くし、面戸材本体10の下面を葺設状態の桟瓦Ｃ、Ｃａ…の上面に合致する形状として、台座２、2aと桟瓦Ｃ、Ｃａ…の間の隙間を埋める様にしている。
【００１５】
そして、各台座２、2aは、先端部の下方角部に段差部12を形成し、該段差部12の段差を固定部11の厚さと同寸として、この段差部12に固定部11を当接させ、面戸材本体10の上面を台座２、2aの下面に当接させ、台座２、2aの先端面と面戸材５、5a…の前面を揃えた状態で接着している。
【００１６】
台座２、2aに、該台座２、2aの先端面と面戸材５、5a…の固定部11の前面を隠す面戸カバー13を固定し、該面戸カバー13は、金属板製で、台座２、2aの上面への固定部位14及び該固定部位14の先端より台座２、2aと面戸材５、5a…の前方へ下方延出するカバー部位15とを有し、設置状態におけるカバー部位15の下端を桟瓦Ｃ、Ｃａ…の桟山部の直近に位置させている。
【実施例２】
【００１７】
図６、７に示す様に、土台形成材１、1a…の実施例２の台座２、2aは、載置板20、20a と、該載置板20、20a の上面に外端縁部に沿って固定された台座本体21、21a とを有し、載置板20、20a は、例えばガルバリウム鋼板（登録商標）の様な固定具Ｔ、Ｔａを打込み可能な金属薄板が望ましく、台座本体21、21a は、木製、プラスチック製などの角材で、この台座２、2aの幅を台熨斗瓦Ｄ、Ｄａ…より狭くして、該台熨斗瓦Ｄ、Ｄａ…の両側端部が台座２、2aより突出した状態として、台熨斗瓦Ｄ、Ｄａ…で台座２、2aが隠れる様にしている。
【００１８】
連結板３、3a…は、実施例１と同構成とし、固定部位８、8aを台座２、2aにおける載置板20、20a の下面にねじ、釘などにより固定して台座２、2aを連結一体化している。
【００１９】
面戸材５、5a…は、実施例１と同構成とし、台座本体21、21a の先端面に固定部11を当接させ、面戸材本体10の上面を載置板20、20a の下面に当接させた状態で台座２、2aに接着している。
【００２０】
面戸カバー13は、、実施例１と略同構成とするが、固定部位14に対しカバー部位15を垂直としている。
【００２１】
そして、複数の面戸カバー13を、設置状態の隣接する土台形成材１、1a…を跨ぐ様に配置して、該土台形成材１、1a…の継ぎ目を隠し、ねじ、釘などの固定具16、16a …により台座２、2aに固定することで、隣接する土台形成材１、1a…が左右にズレて境目が揃っていなくても、略一直線状に揃えた複数の面戸カバー13で隠して、土台形成材１、1a…をズレなく設置した筋が通った状態に見せることを可能にしている。
【符号の説明】
【００２２】
１、1a…    土台形成材
２、2a      台座
３、3a…    連結板
５、5a…    面戸材
13          面戸カバー
14          固定部位
15          カバー部材
20、20a     載置板
21、21a     台座本体
Ｂ          棟木
Ｃ、Ｃａ…  最上段の桟瓦
Ｄ、Ｄａ…  最下段の熨斗瓦（台熨斗瓦）
Ｔ、Ｔａ    釘又はねじ（固定具）
【図１】
2017201084.tif 000003
【図２】
2017201084.tif 000004
【図３】
2017201084.tif 000005
【図４】
2017201084.tif 000006
【図５】
2017201084.tif 000007
【図６】
2017201084.tif 000008
【図７】
2017201084.tif 000009